(57)【要約】【課題】既設エレベータに対しても乗りかごの内部からの作業のみで容易に装着できるエレベータ用かご内手摺りの取付け方法の提供。【解決手段】吊り体５で吊持ちした状態で取付座３を乗りかご１の内部から挿入穴２ａより側板２の裏側に挿入した後、長ボルト６を取付プレート４の貫通穴４ａおよび側板２の挿入穴２ａに挿入して取付座３のねじ穴３ａに螺合させて、取付プレート４の貫通穴４ｂを取付座３のねじ穴３ｂと合せ、皿ねじ７によって取付プレート４と取付座３を固定するようにした。これにより、既設エレベータの乗りかご１の内部から取付座３を側板２の外側に配備することができる。【選択図】        図２
2004315157.tif 000002
【特許請求の範囲】
【請求項１】
乗りかごの側板の内側に設けられる手摺り棒と、前記側板の内側に固定され、前記手摺り棒を支持する支持ブラケットと、前記側板の裏側に配置される取付座と、この取付座に前記支持ブラケットを締結する締結具とを有するエレベータ用かご内手摺りの取付け方法において、
前記取付座に、前記締結具が螺合する第１のねじ穴と、この第１のねじ穴の近傍に設けられる第２のねじ穴とを形成し、
前記側板の前記支持ブラケットの取付位置に、前記取付座を挿入可能であり、かつ前記第２のねじ穴の位置寸法に応じてあらかじめ定められる大きさの挿入穴を穿設した後、
前記乗りかごの内部から吊り体により前記取付座を吊持ちした状態で、この取付座を前記挿入穴に挿入して前記側板の裏側に配置し、
次いで、前記第１のねじ穴に対向し、このねじ穴より大きな第１の貫通穴と、前記第２のねじ穴に対向し、このねじ穴より大きな第２の貫通穴とを備えた取付プレートを、前記側板の内側に設けて、前記取付プレートの第１の貫通穴に長ボルトを挿通するとともに、この長ボルトを前記乗りかごの内部から前記側板の挿入穴に挿入して前記取付座の第１のねじ穴に螺合させ、
次いで、前記取付プレートの第２の貫通穴を前記取付座の第２のねじ穴と合せて、前記乗りかごの内部からねじ体を前記取付プレートの第２の貫通穴および前記側板の挿入穴に挿入して前記取付座の第２のねじ穴に螺合させることにより、前記取付プレートと前記取付座とをねじ止め固定し、
次いで、前記長ボルトを前記取付座の第１のねじ穴から取外して前記側板の挿入穴および前記取付プレートの第１の貫通穴から抜出した後、前記乗りかごの内部より前記支持ブラケットを前記側板の取付位置に配置して、前記締結具を前記取付プレートの第１の貫通穴および前記側板の挿入穴に挿入して前記取付座の第１のねじ穴に螺合させることにより、前記支持ブラケットを前記側板に対して固定し、
次いで、この取付けられた支持ブラケットに前記手摺り棒を固定することを特徴とするエレベータ用かご内手摺りの取付け方法。
【発明の詳細な説明】
【０００１】
【発明の属する技術分野】
本発明は、乗りかごの側板の内側に設けられる手摺り棒と、この手摺り棒を支持する支持ブラケットとを有するエレベータ用かご内手摺りの取付け方法に関する。
【０００２】
【従来の技術】
近年、エレベータにおいて、いわゆるバリアフリーやユニバーサルデザインの観点から高齢者や身体障害者を含めた全ての人がエレベータを使いやすくするため、乗りかご内に手摺りを設けたいといった要求が増加している。
【０００３】
しかしながら、上記の手摺りを乗りかご内に取付ける際に、２人の作業者が乗りかごの内側と外側から手摺りのねじ締結作業を行なう必要があるので、その際の作業性が悪いばかりか、この作業を一般に狭隘である乗りかごと昇降路との隙間で行なうため、作業者が昇降路で転落したり乗りかごと昇降路とに挟まれる事故などを引き起こす危険性もあった。
【０００４】
そこで、上記のような従来の問題を解決する一手段として、溶接ナットなどを配備した座板を乗りかごの側板の外側にあらかじめ配置し、乗りかごの内部から締結ねじを座板の溶接ナットに螺合することにより、支持ブラケットを側板に対して固定するものが提案されている（例えば、特許文献１参照。）。
【０００５】
図５はこの種のエレベータの乗りかごを示す平面図、図６は図５のＡ―Ａ線に沿う縦断面図である。
【０００６】
図５に示す乗りかご１は側方に立設される側板２を有し、この側板２にそれぞれ複数の支持具１１を介して３本の円柱状手摺り捧１７が取付けられている。それぞれの支持具１１は側板２の内側に固定され、水平方向に互いに離れて配置されている。
【０００７】
図６に示すように、支持具１１の一端（図６の右端）は、側板２の裏面に設けられた座板１２の溶接ナット１３に、締結ねじ１５が螺合することにより固定されている。支持具１１は、他端（図６の左端）から凹設されて乗りかご１の内側に向いて開口する段付き穴１４を有し、締結ねじ１５はなべねじからなり、頭部が段付き穴１４内に埋没状態で配置されてばね座金１６が装着され、先端部が溶接ナット１３にねじ込まれている。また、支持具１１の他端には、手摺り捧１７を受入れる凹部１８が形成され、この凹部１８に段付き穴１４の開口端が接するとともに、支持具１１の他端に下側からばね座金２０を介してＰトラスねじからなる取付ねじ１９が挿通されるとともに、この取付ねじ１９が手摺り棒１７にねじ込まれている。
【０００８】
上記のように構成されたかご内手摺りの取付方法では、溶接ナット１３を配備した座板１２を乗りかご１の側板２の外側に溶接あるいは接着などによりあらかじめ配置しておき、乗りかご１の内部から締結ねじ１５で支持具１１を側板２に締結し、手摺り棒１７を支持具１１の凹部１８に装着して段付き穴１４の開口部を覆う状態で、手摺り棒１７を取付ねじ１９で固定する。これにより、乗りかご１内からの作業によって手摺りを取付けることができる。
【０００９】
【特許文献１】
特開平７―９７１６３号公報（段落番号００１０，００１１，００１３，００１５，００１６、図１、図２、図３）
【００１０】
【発明が解決しようとする課題】
ところで、上記した従来技術にあっては、既設エレベータを改造して乗りかご１に手摺りを設ける場合、溶接ナット１３を配備した座板１２を側板２の外側にあらかじめ備えていないことがあるので、座板１２を溶接または接着などにより側板２の外側に配置する際に、一般に狭隘である乗りかご１と昇降路との隙間での危険を伴う作業を要するという問題がある。
【００１１】
本発明は、上記のような従来技術における実状を鑑みてなされたもので、その目的は、既設エレベータに対しても乗りかご内の作業のみで容易に取付けることのできるエレベータ用かご内手摺りの取付け方法を提供することにある。
【００１２】
【課題を解決するための手段】
上記目的を達成するため、本発明は、乗りかごの側板の内側に設けられる手摺り棒と、前記側板の内側に固定され、前記手摺り棒を支持する支持ブラケットと、前記側板の裏側に配置される取付座と、この取付座に前記支持ブラケットを締結する締結具とを有するエレベータ用かご内手摺りの取付け方法において、前記取付座に、前記締結具が螺合する第１のねじ穴と、この第１のねじ穴の近傍に設けられる第２のねじ穴とを形成し、前記側板の前記支持ブラケットの取付位置に、前記取付座を挿入可能であり、かつ前記第２のねじ穴の位置寸法に応じてあらかじめ定められる大きさの挿入穴を穿設した後、前記乗りかごの内部から吊り体により前記取付座を吊持ちした状態で、この取付座を前記挿入穴に挿入して前記側板の裏側に配置し、次いで、前記第１のねじ穴に対向し、このねじ穴より大きな第１の貫通穴と、前記第２のねじ穴に対向し、このねじ穴より大きな第２の貫通穴とを備えた取付プレートを、前記側板の内側に設けて、前記取付プレートの第１の貫通穴に長ボルトを挿通するとともに、この長ボルトを前記乗りかごの内部から前記側板の挿入穴に挿入して前記取付座の第１のねじ穴に螺合させ、次いで、前記取付プレートの第２の貫通穴を前記取付座の第２のねじ穴と合せて、前記乗りかごの内部からねじ体を前記取付プレートの第２の貫通穴および前記側板の挿入穴に挿入して前記取付座の第２のねじ穴に螺合させることにより、前記取付プレートと前記取付座とをねじ止め固定し、次いで、前記長ボルトを前記取付座の第１のねじ穴から取外して前記側板の挿入穴および前記取付プレートの第１の貫通穴から抜出した後、前記乗りかごの内部より前記支持ブラケットを前記側板の取付位置に配置して、前記締結具を前記取付プレートの第１の貫通穴および前記側板の挿入穴に挿入して前記取付座の第１のねじ穴に螺合させることにより、前記支持ブラケットを前記側板に対して固定し、次いで、この取付けられた支持ブラケットに前記手摺り棒を固定する構成にした。
【００１３】
このように本発明の取付け方法では、乗りかごの内部から取付座を吊持ちした状態で、この取付座を挿入穴に挿入して側板の裏側に配置し、長ボルトを乗りかごの内部から側板の挿入穴に挿入して取付座の第１のねじ穴に螺合させることにより、長ボルトで取付座を保持し、取付プレートを取付座に固定するようになっている。これによって、既設エレベータが前記の取付座を側板の外側にあらかじめ備えていない場合でも、乗りかごの内部から前記の取付座を配備して乗りかご内部の作業のみで容易にかご内手摺りを装着することができる。
【００１４】
【発明の実施の形態】
以下、本発明のエレベータ用かご内手摺りの取付け方法の実施の形態を図に基づいて説明する。
【００１５】
図１は本発明の一実施形態に係るエレベータ用かご内手摺りの取付け方法を説明する図、図２は取付座の第１のねじ穴に長ボルトを螺合する工程を示す図、図３は取付座と取付プレートを固定する工程を示す図、図４は本実施形態の取付け方法により取付けられたエレベータ用かご内手摺りを示す図である。なお、図１〜図４において前述した図５、図６に示す同等のものには同一符号を付してある。
【００１６】
図４に示すエレベータ用かご内手摺り９は、乗りかご１の側板２の内側に設けられる手摺り棒９ａと、この手摺り棒９ａを支持する支持ブラケット９ｂと、側板２の裏側に配置される取付座３と、側板２の内側に配置される取付プレート４と、この取付プレート４を側板２に締結するねじ体、例えば皿ねじ７と、支持ブラケット９ｂの一端を側板２に取付ける締結具、例えば取付ボルト８と、この取付ボルト８の頭部を覆い、支持ブラケット９ｂに装着されるカバー１０とからなっている。
【００１７】
取付座３には、取付ボルト８が螺合する第１のねじ穴３ａと、このねじ穴３ａの近傍にそれぞれ設けられる一対の第２のねじ穴３ｂとが形成されている。取付プレート４には、第１のねじ穴３ａに対向し、このねじ穴３ａより大きな第１の貫通穴４ａと、第２のねじ穴３ｂにそれぞれ対向し、このねじ穴３ｂより大きな一対の第２の貫通穴４ｂとが形成されている。
【００１８】
そして、本実施形態の取付け方法では、図２に示すように、針金や電線などからなり取付座３を吊持ちする吊り体５と、長ボルト６とを用いて、次の手順にしたがって既設エレベータに対してかご内手摺り９を設けるようになっている。すなわち、まず図１に示すように、側板２の支持ブラケット９ｂの取付位置に、取付座３を挿入可能な挿入穴、例えば長円穴２ａを穿設する。ここで、図１に示すように長円穴２ａの長辺寸法Ｌは、一対のねじ穴３ｂ間の位置寸法Ｌ１より所定の寸法だけ大きく設定してある。次いて、取付座３の第２のねじ穴３ｂに吊り体５の一端を取付け、この吊り体５の他端を手持ちした状態で、乗りかご１内部から側板２の長円穴２ａより取付座３を挿入して側板２の裏側に落し込む。
【００１９】
次に、図２に示すように、吊り体５により取付座３を保持した状態で、乗りかご１内部から長ボルト６を取付プレート４の第１の貫通穴４ａおよび側板２の長円穴２ａに挿入して取付座３の第１のねじ穴３ａに螺合させる。
【００２０】
次に、図３に示すように、吊り体５を取付座３から取外し、この取付座３の第２のねじ穴３ｂに取付プレート４の第２の貫通穴４ｂを合せて、乗りかご１内部から皿ねじ７を取付プレート４の第２のねじ穴４ｂおよび側板２の長円穴２ａに挿入して取付座３の第２のねじ穴３ｂに螺合させることにより、側板２を挟み込む状態で取付座３と取付プレート４を固定する。
【００２１】
次いで、長ボルト６を取付座３の第１のねじ穴３ａから取外した後、図４に示すように、乗りかご１内部より取付ボルト８を支持ブラケット９ｂの一端、取付プレート４の第１の貫通穴４ａおよび側板２の長円穴２ａに順次挿入して取付座３の第１のねじ穴３ａに螺合させることにより、側板２および取付プレート４を挟み込む状態で支持ブラケット９ｂの一端を取付座３に固定する。次いで、この取付けられた支持ブラケット９ｂの他端に手摺り棒９ａを固定するとともに、支持ブラケット９ｂの一端にカバー１０を装着する。
【００２２】
このように構成した本実施形態の取付け方法にあっては、既設エレベータが取付座３を側板２の外側にあらかじめ備えていない場合でも、前記の取付座３を乗りかご１の内部から外側に配備できるので、乗りかご１の内部の作業のみで容易に手摺り９を取付けることができる。
【００２３】
また、本実施形態の取付け方法では、支持ブラケット９ｂの一端にカバー１０を装着して取付ボルト８の頭部を覆うことにより、手摺り９を見栄えよく仕上げることができる。
【００２４】
【発明の効果】
以上説明したように、本発明は、既設エレベータに対しても乗りかご内からの作業のみでかご内手摺りを容易に装着することができ、したがって、作業時の安全性の高いエレベータ用かご内手摺りの取付け方法を提供できるという効果がある。
【図面の簡単な説明】
【図１】本発明の一実施形態に係るエレベータ用かご内手摺りの取付け方法を説明する図である。
【図２】取付座の第１のねじ穴に長ボルトを螺合する工程を示す図である。
【図３】取付座と取付プレートを固定する工程を示す図である。
【図４】本実施形態の取付け方法により取付けられたエレベータ用かご内手摺りを示す図である。
【図５】従来のエレベータの乗りかごを示す平面図である。
【図６】図５のＡ―Ａ線に沿う縦断面図である。
【符号の説明】
１  乗りかご
２  側板
２ａ  長円穴（挿入穴）
３  取付座
３ａ  第１のねじ穴
３ｂ  第２のねじ穴
４  取付プレート
４ａ  第１の貫通穴
４ｂ  第２の貫通穴
５  吊り体
６  長ボルト
７  皿ねじ（ねじ体）
８  取付ボルト（締結具）
９  かご内手摺り
９ａ  手摺り棒
９ｂ  支持ブラケット
１０  カバー
【図１】
2004315157.tif 000003
【図２】
2004315157.tif 000004
【図３】
2004315157.tif 000005
【図４】
2004315157.tif 000006
【図５】
2004315157.tif 000007
【図６】
2004315157.tif 000008